(57)【特許請求の範囲】
【請求項１】
容器（１）用の密封装置であって、該密封装置の最初の開放のとき前記容器（１）の内容物に加えられるべき添加剤を保持し、キャップ（２）と、前記キャップ（２）の内側に受容されているインサート（４）と、前記添加剤を受容する区画室（１５）を覆う蓋（１１）とを具備しており、前記インサート（４）が、接着、スナップ結合、及び溶着のうちの少なくとも一つによって前記容器（１）に堅固に固定されており、前記キャップ（２）及び前記インサート（４）が相互に回転可能であり、前記蓋（１１）を受容するリング（１３）が前記キャップ（２）の頂部に形成されており、閉鎖区画室（１５）が、前記キャップの内側の壁（１４）と、前記キャップ（２）のリング（１３）の内側に配置された前記蓋（１１）と、前記インサート（４）の中央部分（５）とによって区画形成されている密封装置において、前記インサート（４）がドーム型又は円錐形の中央部分（５）と、前記中央部分（５）からある距離を置いて設けられた鉛直壁の形をしたリング（７）と、前記中央部分（５）を前記インサート（４）の前記リング（７）に接続する少なくとも二つのレッグ（６）とを有すること、及び開口（１０）が、前記中央部分（５）と外側の前記リング（７）と前記レッグ（６）との間に形成されること、及び前記蓋（１１）が、圧入によって前記キャップ（２）の前記リング（１３）の内側に受容されることを特徴とする、密封装置。
【請求項２】
前記キャップ（２）が、前記インサート（４）の前記リング（７）のねじ山と協働するねじ山を有する外側の環状壁（１２）と、前記外側の壁（１２）からある距離を置いて設けられた内側の環状壁（１４）とを有すること、及び前記蓋（１１）を受容するリング（１３）が前記外側の環状壁（１２）の上縁と前記内側の環状壁（１４）の上縁との間に形成されていることを特徴とする、請求項１に記載の密封装置。
【請求項３】
前記キャップ（２）の前記内側壁（１４）が、閉鎖状態において前記インサート（４）の前記中央部分（５）に当接することを特徴とする、請求項２に記載の密封装置。
【請求項４】
前記キャップ（２）が前記インサートからねじり戻されたとき、前記キャップ（２）の前記内側壁（１４）が、前記インサートの前記中央部分（５）との接触から離れ、前記閉鎖区画室（１５）を底部において開放して、前記添加剤が前記インサート（４）の前記開口（１０）を通って前記容器（１）の中へ落下することを可能にすることを特徴とする、請求項３に記載の密封装置。
【請求項５】
前記添加剤が、錠剤、又は粉末、又は流体の形態をしていることを特徴とする、請求項１に記載の密封装置。
【請求項６】
前記インサート（４）の前記リング（７）の下縁における溝（８）が、前記容器（１）のリム（９）を圧入によって受容するようにされていることを特徴とする、請求項１に記載の密封装置。
【発明の詳細な説明】
【技術分野】
【０００１】
本発明は、容器用の密封装置に関するものであり、該密封装置は容器の内容物に添加される添加物を収容するものである。
【背景技術】
【０００２】
多くの製品に対して、添加物が消費または他の使用の直前に添加されるはずである。容器の内容物は、通常は液状であって、飲料又は薬又は他の化学物質であるだろう。
【０００３】
多くの製品に対して、充填時に形成される混合物は、前記混合物の有効期限を短縮しまた時間がたつと他の問題をもたらす。
【０００４】
容器の内容物に添加されるべき添加物を有するいくつかの異なるタイプの密封装置が従来技術において存在した。従来技術のこれら全ての密封装置では、通常使用者は添加されるべき添加物のために特別な行為を実行しなければならない。その行為が実行されなかったなら、添加物は添加されず、容器の内容物は添加物なしで使用されることとなる。
【０００５】
従来技術の多くの密封装置は、比較的複雑な構造を有しており、部品が複雑に入り組んだ様態で協働する。複雑な密封装置は、その密封装置の製造コストを通常は増大させる。
【発明の開示】
【０００６】
本発明は添加物を有する密封装置に導かれ、前記添加物は、本密封装置が配置される容器の内容物に対して使用される直前に自動的に添加される。本密封装置は、既存の充填機械の改造なしで又は限られた改造だけで既存の充填機械と共に働く。本密封装置は様々なタイプの容器及び例えば粉末、錠剤、流体等の様々な形態の添加物に適用可能である。
【０００７】
本発明の包括的な目的は、密封装置が開放されたとき添加物が自動的に添加されることである。従って使用者は特別な手段を何も用いる必要はない。
【０００８】
本発明の更なる目的は、低コストで比較的容易に製造される密封装置にして、使用時及び充填時の両方において取り扱いが容易な密封装置を得ることである。
【０００９】
本発明の更に別の目的は、添加物を密封装置内に配置することを容易にすることである。これは、比較的効率的な生産ラインを与えるための重要な特徴である。
【００１０】
上述の目的は、キャップと、インサートと、添加物を受容する区画室を覆う蓋とを具備する容器用の密封装置によりかなえられる。
【００１１】
本発明の更なる目的及び利点は、現在のところ好適な実施例の以下の詳細な説明を読めば本技術分野に知識を有する者には明らかであろう。
【００１２】
本発明は、添付図面を参照しながら及び一例として以下に更に説明される。
【発明を実施するための最良の形態】
【００１３】
表現の“水平”、“垂直”及び同様の表現は、この説明において使用されるとき、図面で参照される方向を参照する。前記方向は、密封装置を有する容器の通常の使用の際の方向に一致する。
【００１４】
図１において、容器１が容器の一例として示され、前記容器上に本発明による密封装置が支えられる。本技術分野に知識を有する者は、容器はそれ自体としては本発明に重要ではないので、容器の実際の形及び大きさは変化してよいことを理解するだろう。容器１は、プラスチック、ガラス、アルミニュウム、又は他の材料のような任意の材料から作られてよい。密封装置は通常はプラスチックから作られるが他の適切な材料からも作られる。容器１の頂部で支えられた密封装置はキャップ２とロッキングリング３とを有している。通常は、ロッキングリング３はキャップ２と一体にされ、キャップ２とロッキングリング３との間の接続は、密封装置が最初に開放されたとき破られるであろう。密封装置を開放するためにキャップ２は通常のやり方でねじり戻される。
【００１５】
密封装置はキャップ２の内側に受容されたインサート４を更に具備している。インサート４は、ドーム状又は円錐状の中央部分５を有しており、前記ドーム状又は円錐状の中央部分５は４本のレッグ６を介して外側リング７に接続されている。インサート４のドーム状又は円錐状の中央部分５の傾斜角度は添加物の形態に応じて変化してよい。外側リング７は鉛直壁の形体を有している。キャップ２の内側のねじ山と協働するためにリング７の外側にねじ山が配列されている。ねじ山又は他の同様の接続手段の正確な形状は、密封装置が意図されたやり方で働く限りにおいて重要ではない。溝８が、容器１の開口のリム９を把持するためにリング７の下縁に配列されている。従って、密封装置は、インサート４の溝８と容器１のリム９との間の協働によって容器１に取り付けられる。インサート４は、圧入及び／又は接着によって容器１のリム９に堅固に固定される。インサート４において、４つの開口１０が中央部分５とレッグ６とリング７との間に形成される。レッグ６の数及び従って形成される開口１０の数は、添加物の供給が妨げられない限り変化してよい。インサート４の働きは以下に更に説明されるであろう。
【００１６】
他の（図示されない）実施例では、インサートは容器と一体であるか、又は容器のネック部の内部に配置される。キャップ２のねじ山と協働するねじ山は、この場合の容器のネック部に配置される。インサートの全体的な形体は上述したものと同じであり、即ちそれは半球形の中央部分及び数本のレッグを有し、前記数本のレッグは、一体にされたインサートのための容器の残りの部分に、又は容器のネック部の内側に配置されたインサートのための外側リングに中央部分を接続されている。前記リングの高さは、容器との接続部の形体に依存して変化してよい。容器のネック部に配置されたインサートの外側リングは、ネック部の内側で及びキャップ２との協働のためにネック部の頂部から適切な距離を置いて堅固に保持される。インサートと容器との間の接続は、形状嵌合、スナップ結合、接着結合、又は溶着のような適切な形態を取り得る。
【００１７】
キャップ２は、インサート４のねじ山と協働するためのねじ山を備える環状又は円筒状壁１２を有している。上述したように一部の実施例では、キャップとの協働のためのねじ山は代わりに容器に配置される。キャップ２は、リング１３を形成する上部壁又は頂部を有し、前記リング１３の内側に蓋１１が配置される。蓋１１の外径はリング１３の内径よりも僅かに大きいので、蓋１１は通常はリング１３内に圧入されることにより保持される。本技術分野に知識を有する者は、蓋が例えば接着、テープ、又は溶着のような多くの異なる方法でリング１３に保持され得ることを理解するであろう。蓋１１の保持を更に強化するために、蓋１１を含むキャップ２の少なくとも上部は、プラスチック又はアルミニュウム等の箔又は層を備えることがある。前記箔又は層はキャップ２及び蓋１１に接着されるものである。
【００１８】
さらにキャップ２は、リング１３の内縁に配置された内側の環状壁１４を有しており、前記内側の環状壁１４は上壁から下方に方向付けられている。示された実施例では、内側壁１４は内側に傾斜しているが、他の実施例では内側壁１４はほぼ鉛直である。密封装置において、キャップ２の内側壁１４の下端部はインサート４のレッグ６の上に載っている。内側壁１４はインサート４のドーム状又は円錐状の中央部分５に当接して、キャップ２とインサート４との間にきつい嵌合を形成する。従って、区画室１５が密封装置内に形成され、前記区画室１５はキャップ２の内側壁１４とインサート４の中央部分５と蓋１１とによって区画形成される。区画室１５の内側に添加剤が受容されるべきである。図の実施例では、添加剤は錠剤１６として形成されている。本技術分野に知識を有する者は添加剤が任意の形態を有してよいことを十分理解するだろう。従って、それは例えば粉末、顆粒、又は液状であってもよい。密封装置の区画室１５は、キャップ２の内側壁１４とインサート４の中央部分５との協働によって底部で密封されている。本技術分野に知識を有する者はキャップ２の内側壁１４とインサート４の中央部分５との間の協働の正確な形態は、そこに密封がありさえすれば変化してよいことを十分理解するであろう。一実施例では、スナップ作用を与えるためにビード及び溝が異なる部品に配置される。容器に一体にされた又は容器のネック部内側に配置されたインサートを有する代替実施例について、前記インサートは、キャップ２の内側壁１４の高さに適合された、ネック部の頂部からのある距離を置いて配置される。
【００１９】
本発明の密封装置は僅か３部品、即ちロッキングリング３を含むキャップ２、インサート４、及び蓋１１から作られる。
【００２０】
本発明の密封装置が容器１に堅固に固定されて配置され、且つキャップ２が密封装置を開放するために捻られたとき、キャップ２はインサート４に対して回転する。前記相互の回転によって、キャップ２の内側壁１４はレッグ６及びインサート４の中央部分５との接触から離れる。内側壁１４が更に上に移動するとき、密封装置の区画室１５内に配置されていた錠剤１６又は他の添加剤はインサート４の一つ以上の開口１０を通って落下するだろう。添加剤は、中央部分５の傾斜した表面と重力とに起因して落下する。従って、添加剤は容器１の内容物中に落下してそれと混合するだろう。
【００２１】
本技術分野に知識を有する者は、密封装置の正確な形態及びサイズ並びにその異なる部品は、容器及び添加剤の形態及びサイズに起因して変化してよいことを十分理解するであろう。前記知識を有する者は、インサート４と容器１との間の固定の正確な形態が、インサートが容器１に堅固に固定されていれさえすれば、重要なものではないことも十分理解するだろう。
【００２２】
密封装置は通常、容器が充填された直後に充填機で容器１に固定される。添加剤は、密封装置が容器１に配置される前に密封装置の中に、又は既に容器１に配置された密封装置の中に配置される。添加剤は通常は充填機内で又は充填機と協働して密封装置の内側に配置される。添加剤が密封装置の開口部１５内に配置されたとき、蓋１１は通常、キャップ２のリング１３の中に押し入れられることによって所定の場所に押し入れられる。同時に、蓋１１をキャップ２に固定する可能な更なる手段が適用される。
【００２３】
キャップ２は、密封装置の最初の開放の後、通常のやり方で容器１上にねじり戻されてよい。
【図面の簡単な説明】
【００２４】
【図１】本発明による密封装置を含む容器の正面断面図である。
【図２】図１の密封装置の拡大断面図である。
【図３】先の図の密封装置の一部の断面図である。
【図４】図３の一部の平面図である。
【図５】先の図の密封装置の斜視図である。
【図１】
0005567267.tif 000002
【図２】
0005567267.tif 000003
【図３】
0005567267.tif 000004
【図４】
0005567267.tif 000005
【図５】
0005567267.tif 000006